(57)【要約】【課題】  履き物内で動く足裏に追随することにより、足裏の所定箇所に維持されて足裏を効果的に刺激する足裏用パッドを提供する。【解決手段】  足裏の土踏まず部２０に接するように履き物に固定して使用され、足裏と接する平坦な上面１０と、履き物との固定面１３と上面１０とを繋ぐ側面１１とを備えている。固定面１３と側面１１とがなす角度θ１は、ほぼ垂直またはそれ以上となっている。パッド１の前端縁部２および後端縁部３は、平面視において円弧形状に形成され、かつ、後端縁部３の曲率半径Ｒ２が前端縁部２の曲率半径Ｒ１よりも小さく設定されている。足裏の外足側で土踏まず部２０に接する側縁部５は、平面視において凸状をなす２つの曲線部５Ａ，５Ｂからなり、２つの曲線部５Ａ，５Ｂを略Ｖ字状に接続することで、内足側に向けて切り欠かれた切欠部６が形成されている。【選択図】  図１
2010264139.tif 000002
【特許請求の範囲】
【請求項１】
足裏の所定箇所に接するように履き物またはインソールに固定して使用される足裏用パッドであって、
足裏と接する上面と、履き物またはインソールとの固定面と前記上面とを繋ぐ側面とを備えており、前記固定面と側面とがなす角度がほぼ垂直またはそれ以上であることを特徴とする足裏用パッド。
【請求項２】
請求項１に記載の足裏用パッドであって、前記上面が平坦であることを特徴とする足裏用パッド。
【請求項３】
請求項１または２に記載の足裏用パッドであって、所定の肉厚を有する弾性体からなることを特徴とする足裏用パッド。
【請求項４】
請求項１〜３のいずれかに記載の足裏用パッドであって、足裏の土踏まず部に接するように履き物またはインソールに固定され、少なくとも前端縁部および後端縁部が、平面視において凸曲線形状に形成されていることを特徴とする足裏用パッド。  
【請求項５】
請求項４に記載の足裏用パッドであって、前記前端縁部および後端縁部は、平面視において円弧形状に形成され、かつ、後端縁部の曲率半径が前端縁部の曲率半径よりも小さいことを特徴とする足裏用パッド。
【請求項６】
請求項４または５に記載の足裏用パッドであって、足裏の外足側で土踏まず部に接する側縁部に内足側に向けて切り欠かれた切欠部が形成されていることを特徴とする足裏用パッド。
【請求項７】
請求項６に記載の足裏用パッドであって、前記側縁部は、平面視において凸状をなす２つの曲線部からなり、２つの曲線部を略Ｖ字状に接続することで、略Ｖ字形状の前記切欠部が形成されていることを特徴とする足裏用パッド。
【請求項８】
請求項１〜７のいずれかに記載の足裏用パッドを備えた履き物。
【請求項９】
請求項１〜７のいずれかに記載の足裏用パッドを備えたインソール。
【発明の詳細な説明】
【技術分野】
【０００１】
本発明は、足裏の例えば土踏まず部などの所定箇所に接するように履き物またはインソールに固定して使用される足裏用パッド、および、この足裏用パッドを備えた履き物ならびにインソールに関する。
【背景技術】
【０００２】
従来から、歩行時に足裏に加わる衝撃を低減したり、足の姿勢を矯正して正しく保つようにしたりするために、靴下や靴、サンダルなどの履き物に対して、例えば合成ゴムなどの弾性材料で形成されたパッドなどを装着することが提案されている（例えば、特許文献１参照）。
【０００３】
特許文献１では、上面が足裏の土踏まず部の凹みの形状に沿った緩やかなアーチ型のパッドを、靴下の底部に、土踏まず部の位置に合わせて装着している。これにより、歩行時に足裏の土踏まず部のアーチ形状が維持されるため、足裏全体のバランスを整えて正しい歩行ができるようにしている。
【先行技術文献】
【特許文献】
【０００４】
【特許文献１】特開２００１−２５８９２８号公報
【発明の概要】
【発明が解決しようとする課題】
【０００５】
ところで、歩行などの際には、足裏は履き物内で一定の場所にとどまっておらず、例えば、進行方向であるつま先側へ向かって滑りやすかったりする。この点において、特許文献１に記載のパッドは、足裏と接する上面が、土踏まず部の形状に沿ったアーチ型をなしているために、履き物内の足裏の動きに追随することができず、パッドを土踏まず部の位置に正確に合わせ続けることができなかった。また、上面がアーチ型をなしているため、足裏に適度な刺激を与えることで、足裏の血行を促進したり、歩行による足裏の疲労の軽減ないしは回復をはかるなどのマッサージ効果を期待することができない。一方、マッサージ効果を得ようとして、パッド上面のアーチ形状を急峻なものとすると、足裏に痛みを感じて良好な履き心地が得られず、長時間の使用に耐えられなかったり、やはりパッドを足裏の所定の位置に合わせ続けることができないことから効果的なマッサージを行うことができない。
【０００６】
本発明は、上記した問題に着目してなされたものであり、履き物内で動く足裏に追随することにより、足裏の所定箇所に維持されて足裏を効果的に刺激するとともに、長時間使用しても足裏に痛みや違和感を覚えず、良好な使用感が得られる足裏用パッド、およびこの足裏用パッドを備えた履き物ならびにインソールを提供することを目的とする。
【課題を解決するための手段】
【０００７】
本発明の足裏用パッドは、足裏の所定箇所に接するように履き物またはインソールに固定して使用されるものである。本発明の上記した構成において、「履き物」には、靴下、靴、サンダル、ミュールなど、種々のタイプの履き物が含まれる。また、「インソール」は、靴、サンダル、ミュールなどの履き物の足裏接触面に装着して使用されるものであり、その形状は、本発明の足裏用パッドを固定する面積を有する形状であれば特に限定されない。例えば、履き物底面の全面に適合する形状、履き物底面の土踏まず部から踵部にわたって適合する形状（ハーフインソール）、履き物底面の、足裏の所定箇所（例えば、土踏まず部）周辺のみに適合する形状（部分インソール）などが含まれ、本発明の足裏用パッドそれ自体をインソールとして、足裏の所定箇所に接するように履き物に直接固定してもよい。
【０００８】
加えて本発明の足裏用パッドは、足裏と接する上面と、履き物またはインソールとの固定面と前記上面とを繋ぐ側面とを備えており、前記固定面と側面とがなす角度がほぼ垂直またはそれ以上であることを特徴として、履き物またはインソールに固定されている。
【０００９】
この足裏用パッドが装着された履き物またはインソールを使用すると、パッドは足裏の所定箇所に接するが、上記した構成により、歩行に伴ってパッドにかかる荷重の程度が変化したり、履き物の中で足の位置がずれたりした場合であっても、パッドの固定面と側面との接続部（パッドの下端周縁部）が支点となってパッドの上面が足裏に追随するので、パッドを足裏の所定箇所に維持しやすくなり、足裏の所定箇所をマッサージする場合などに特に優れた効果を発揮する。
【００１０】
本発明の好ましい実施態様においては、前記上面が平坦であることを特徴としている。歩行に伴って、パッドに足裏の踏みつけによる荷重がかかると、パッドは圧縮変形するが、例えば、パッドを足裏の土踏まず部に接するように履き物またはインソールに固定した場合、土踏まず部の凹みは、周縁（前方領域、後方領域および外足側領域）に近づくに従って浅くなっているため、上面が平坦である本実施態様によれば、パッドにかかる荷重は、パッド上面の土踏まず部周縁で接する領域において大きくなる。これにより、土踏まず部周辺に存在する筋肉や健（例えば、長母指屈筋腱、母指外転筋、短指屈筋）がパッドの圧縮による弾性反発力によって刺激されてほぐされる。したがって、本実施態様によれば、パッドを足裏の所定箇所に維持することができるとともに、パッドの圧縮による弾性反発力により、パッドが接する足裏の筋肉や腱を首尾よくマッサージすることができるので、足裏の疲れの緩和や足裏の血行促進などに効果的である。
【００１１】
パッドの素材としては、特に限定されないが、所定の肉厚を有する弾性体を用いることで、パッドが足裏に食いつきやすくなって足裏の動きに合わせて追随しやすくなるとともに、圧縮されたパッドの元の大きさに戻ろうとする弾性反発力を効率よく筋肉や腱に伝えることができる。また、独特のクッション性により足裏への負担を軽減することができるため好ましい。
【００１２】
本発明のさらに好ましい実施態様においては、足裏用パッドは、足裏の土踏まず部に接するように履き物またはインソールに固定され、少なくとも前端縁部および後端縁部が、平面視において凸曲線形状に形成されていることを特徴としている。上記したように、土踏まず部の凹みはその周縁に近づくに従い浅くなっているため、本実施態様によると、少なくともパッドの前端縁部および後端縁部が、土踏まず部周縁の輪郭に沿うように接する。従って、土踏まず部の前方領域および後方領域では、その全体にパッドの弾性反発力による押圧力がほぼ等しく分散し、土踏まず部周辺の筋肉や腱が広範囲において刺激される状態となって、筋肉や腱の一部に刺激が集中することがないため、長時間使用しても、苦痛がなく適度な足裏マッサージ効果を得ることができる。
【００１３】
本発明のさらに好ましい実施態様においては、前記前端縁部および後端縁部は平面視において円弧状に形成され、かつ、後端縁部の曲率半径が前端縁部の曲率半径よりも小さいことを特徴としている。本実施態様によると、足裏の土踏まず部の形状に合わせて、パッドの後端縁部が前端縁部よりも大きさが小さくなっているので、パッドが足裏の土踏まず部にフィットし易くなる。
【００１４】
本発明のさらに好ましい実施態様においては、足裏の外足側で土踏まず部に接触する側縁部に内足側に向けて切り欠かれた切欠部が形成されていることを特徴としている。前記切欠部の態様としては、前記側縁部を平面視において凸状をなす２つの曲線部から構成し、２つの曲線部を略Ｖ字状に接続することで、略Ｖ字形状の切欠部を形成することが好ましい。
【００１５】
本発明の足裏用パッドによれば、パッドを足裏の所定箇所に維持しやすく、所定箇所をマッサージする場合などに優れるが、足裏の土踏まず部の凹みの深さは人によって異なり、特に土踏まず部の凹みが浅い人の場合は、土踏まず部の外足側（足裏のほぼ中央部）に存在する短指屈筋が押圧され続けると、短指屈筋が長時間伸びた状態となり、やはり痛みを生じたり短指屈筋が疲れを感じやすくなることがある。しかし、本実施態様によると、歩行時に足裏の荷重がかかる外足側の側縁部に、２つの曲線部によって内足側に略Ｖ字状に切り欠いた切欠部を形成しているので、この切欠部においてはパッドの圧縮による弾性反発力が足裏に作用しなくなる。その結果、短指屈筋が弛緩する空間を与えることができるため、足裏の土踏まず部の凹みが浅い人が本発明のパッドを長時間使用しても、苦痛がなく適度な足裏マッサージ効果を得ることができる。
【００１６】
なお、前記切欠部は、略Ｖ字形状以外にも種々の態様のものが考えられ、例えば半円形状でも三角形状でもよい。
【００１７】
また本発明による履き物ならびにインソールは、上記した構成の足裏用パッドを備えるものであり、パッドは足裏の所定箇所、好ましくは足裏の土踏まず部に接するように履き物またはインソールに固定されている。
【発明の効果】
【００１８】
本発明の足裏用のパッドによると、歩行に伴ってパッドにかかる荷重の程度が変化したり、履き物の中で足の位置がずれたりした場合であっても、パッドの固定面と側面との接続部が支点となってパッド上面が足裏に追随することができるので、パッドを足裏の所定の位置に維持しやすくなり、足裏の所定箇所を効果的にマッサージすることができる。
【図面の簡単な説明】
【００１９】
【図１】本発明の一実施例である足裏用パッドの平面図である。
【図２】本発明の一実施例である足裏用パッドの側面図である。
【図３】図１のＡ−Ａ線に沿う断面図である。
【図４】足裏用パッドを靴下に装着した例を示す平面図である。
【図５】足裏用パッドの外形を足裏とともに示した平面図である。
【図６】図５のＢ−Ｂ線に沿う断面図である。
【図７】本発明の他の実施例である足裏用パッドの平面図である。
【図８】本発明の他の実施例である足裏用パッドの平面図である。
【図９】本発明の他の実施例である足裏用パッドの平面図である。
【図１０】本発明の他の実施例である足裏用パッドの平面図である。
【発明を実施するための形態】
【００２０】
以下、本発明の実施形態について、添付図面を参照して説明する。図１は、本発明の一実施例である足裏用パッド（以下、単に「パッド」という。）１の平面図を示している。また、図２はパッド１の側面図を、図３はパッド１の断面図を、それぞれ示している。なお、図１中、斜線がかかっている領域は、足の踏み込みによりパッド１が強く圧縮される領域を示している。また、図示例のパッド１は右足用であるが、左足用については右足用と左右対称の形状であり、ここでは図示並びに説明を省略する。
【００２１】
本実施例のパッド１は、図５および図６に示すように、例えば人の足裏の土踏まず部２０（図５において二点鎖線で囲まれた領域内）に接するように履き物３０に固定されるものであり、歩行時に足裏の土踏まず部２０に接することにより、土踏まず部２０に接する位置を維持しながら、所定の位置に維持しながら、歩行により足裏に加わる衝撃を低減するとともに、歩行により疲労しやすい足裏の土踏まず部２０周辺の筋肉や腱を適度に刺激して効果的なマッサージをするものである。
【００２２】
本実施例では、履き物３０として靴下を使用し、パッド１を縫製により靴下の底面３１に縫い付けることで、底面３１上に装着固定している。パッド１は、靴下の他にも、靴、ミュール、サンダル、パンプスなど種々の履き物３０やそれらのインソールに装着することも可能である。また、履き物３０やそれらのインソールに対してパッド１を装着固定するための手段としては特に限定されず、接着剤により固定する方法、パッド１の下面を熱融着して固定する方法など、種々の公知の手段を用いることができる。
【００２３】
パッド１は、図１〜図３に示すように、所定の肉厚を有する平板状の弾性体からなるものであり、その上面１０、すなわち、足裏と接する側の面が水平な平坦面に形成されている。パッド１の側面１１は、前記上面１０に対してほぼ垂直をなしており、これにより、パッド１の外周縁上端には、角部からなる上端周縁部１２が形成されている。この構成によって、パッド１が足裏からの荷重を受けた際、上面１０において上端周縁部１２がまず圧縮され、その圧縮による弾性反発力によって足裏の筋肉や腱が効果的に押圧されてマッサージされることで、足裏の疲れを緩和したり血行促進したりすることができる。
【００２４】
前記上端周縁部１２は、本実施例では、上面１０と側面１１とがなす角度θ２が９０度に形成されている。この角度θ２は、特に限定されないが、ほぼ９０度またはそれ以下とすることが好ましく、具体的には、ほぼ９０〜７０度であることが好ましく、ほぼ９０〜８０度であることがより好ましく、ほぼ９０〜８５度であることがさらに好ましい。このような範囲とすることで、足裏の踏みつけにより生じるパッド１の圧縮による弾性反発力が大きくなって（パッド１と足裏との接触力が強くなって）、パッド１を足裏の所定位置により維持しやすくなるとともに、より効果的なマッサージをすることができる。なお、上端周縁部１２は、丸みのない形状とすることが、パッド１の圧縮による弾性反発力が強くなることから好ましいが、上端周縁部１２を丸みをもつように形成する場合は、上面１０と側面１１とのそれぞれの接線がなす角度によって前記角度θ２を規定する。
【００２５】
また、パッド１は、履き物３０に固定される側の面（以下、「固定面」という。）１３と側面１１とのなす角度θ１がほぼ垂直をなしている。これにより、歩行に伴ってパッド１にかかる荷重の程度が変化したり、履き物３０の中で足の位置がずれたりした場合であっても、前記固定面１３と側面１１との接続部１４（パッド１の下端周縁部）が支点となって、パッド１の上面１０が足裏の動きに追随するので、前記上端周縁部１２の位置が土踏まず部２０周縁の筋肉や健の位置に維持され、これらの筋肉や健を効果的に刺激することができる。
【００２６】
この角度θ１は、９０度よりも小さくなり過ぎると、上端周縁部１２が足裏の動きに追随する作用が得られにくくなるので、角度θ１は９０〜１５０度が好ましく、９０〜１３０度がより好ましく、９０〜１１０度がさらに好ましく、９０〜１００度が特に好ましい。この範囲内であれば、足裏の動きに追随しながら、足裏からの荷重を受けて圧縮されたパッド１の弾性反発力により首尾よく足裏を押圧することができる。ここで、パッド１の下端周縁の接続部１４は丸みをもつように形成してもよいが、この場合、角度θ１は固定面１３と側面１１とのそれぞれの接線がなす角度によって規定される。
【００２７】
なお、本実施例のパッド１は、例えば熱可塑性エラストマーやゴム（単体、あるいは、これらの素材を適宜に組み合わされた複合材）などのクッション性を有する素材により形成されている。熱可塑性エストラマーとしては、スチレン系エラストマー、オレフィン系エラストマー、ウレタン系エラストマー、エステル系エラストマー、フッ素系エラストマー、シリコン系エラストマー、ポリアミド系エラストマーなどが挙げられる。
【００２８】
また、ゴムとしては、天然ゴム、イソプレンゴム、スチレンブタジエンゴム、ブタジエンゴム、エチレンプロピレンゴム、クロロプロピレンゴム、クロロスルホン化ポリエチレン、ウレタンゴム、アクリロニトリルブタジエンゴム、多硫化ゴム、アクリルゴム、エピクロルヒドリンゴム、シリコンゴム、フッ素ゴムなどが挙げられる。
【００２９】
パッド１の硬度は、特に制限されないが、５〜４０度の範囲から選択することが好ましく、５〜３０度の範囲から選択することがより好ましく、５〜２０度の範囲から選択することがさらに好ましい。このような範囲とすることで、歩行に伴ってパッド１に荷重がかかると、足裏にパッド１が食いつきやすく、パッド１（特にパッド１の上端周縁部１２）が足裏の動きに合わせて追随しやすくなるため、歩行によりパッド１が接する足裏、例えば土踏まず部２０周縁の筋肉や健に適度な刺激を与えることができ、かつ、長時間の使用によっても足裏に違和感や痛みを与えないものとなる。この硬度は、ＳＲＩＳ０１０１に準じて、アスカー硬度計Ｃ型（高分子計器株式会社製）により測定される。
【００３０】
また、パッド１の厚みは、パッド１の履き物３０に対する装着位置（パッド１を当てる足裏の箇所）に応じて適宜調整可能であるが、例えば、土踏まず部２０に接するように装着する場合、３〜１５ｍｍの範囲から選択することが好ましく、５〜１０ｍｍの範囲から選択することがより好ましく、５〜８ｍｍの範囲から選択することがさらに好ましい。このような範囲とすることで、パッド１（特にパッド１の上端周縁部１２）が足裏の動きに合わせて追随しやすくなって、足裏に適度な刺激を与えることができ、かつ、長時間の使用によっても異物感や違和感を覚えることがなく、良好な履き心地を維持することできる。
【００３１】
パッド１の外周縁は、足裏の土踏まず部２０の前方領域において接する前端縁部２と、土踏まず部２０の後方領域において接する後端縁部３とが、土踏まず部２０の輪郭に沿うように、それぞれ平面視において凸曲線形状に形成されている。本実施例では、前端縁部２および後端縁部３は、平面視略半円形状の円弧によって形成されており、それぞれの中心Ｏ１，Ｏ２がパッド１の中心線Ｌ上に位置している。
【００３２】
また、足裏の土踏まず部２０の形状に合わせて、後端縁部３は、その曲率半径Ｒ２が前端縁部２の曲率半径Ｒ１よりも小さくなっている。本実施例では、後端縁部３の曲率半径Ｒ２が１５ｍｍに、前端縁部２の曲率半径Ｒ１が２０ｍｍに、それぞれ設定されており、これにより、パッド１を足裏の土踏まず部２０にフィットし易いものとしている。
【００３３】
パッド１の側縁部４，５のうち、足裏の内足側に位置する側縁部４は、平面視において前端縁部２と後端縁部３とを繋ぐように直線形状に形成されている。一方、足裏の外足側に位置する側縁部５は、足裏の外側に向かって凸状をなす２つの曲線部５Ａ，５Ｂからなり、前端縁部２と後端縁部３とを繋ぐように２つの曲線部５Ａ，５Ｂを平面視において略Ｖ字状に接続することにより、外足側の側縁部５のほぼ中央位置には、内足側に向かって切り欠かれた略Ｖ字形状の切欠部６が形成されている。
【００３４】
本実施例では、前端縁部２と連続する曲線部５Ａは、曲率半径ｒ１が前端縁部３の曲率半径Ｒ１（２０ｍｍ）と同じ円弧形状に形成され、中心を前端縁部３の中心Ｏ１と一致させてある。同様に、後端縁部３と連続する曲線部５Ｂは、曲率半径ｒ２が前端縁部３の曲率半径Ｒ２（１５ｍｍ）と同じ円弧形状に形成され、中心を後端縁部３の中心Ｏ２と一致させてある。
【００３５】
上記した構成のパッド１を装着した履き物３０を使用すると、パッド１が足裏の土踏まず部２０と接する。歩行に伴い、パッド１に足裏の踏みつけによる荷重がかかると、パッド１は圧縮変形し、それによって、パッド１の外周縁（特に前端縁部２、後端縁部３および側縁部５）およびその付近のうち、図１の斜線に示した領域が強く圧縮されて、この圧縮された領域が弾性反発力により、歩行時に土踏まず部２０を押圧して効果的に刺激する。これにより、土踏まず部２０周辺の長母指屈筋腱、母指外転筋、短指屈筋といった筋肉や腱が刺激されて、歩行により疲労しやすい長母指屈筋腱、母指外転筋、短指屈筋などがほぐされるので、歩行による足の疲れの緩和や足裏の血行促進などの足裏マッサージ効果が得られる。
【００３６】
この際、本実施例のパッド１では、前端縁部２および後端縁部３の形状を、足裏の土踏まず部２０の輪郭に沿うように、平面視において凸曲線形状としているので、土踏まず部２０全体にパッド１の前端縁部２および後端縁部３が接する。そのため、パッド１の前端縁部２および後端縁部３が接する土踏まず部２０の前方領域および後方領域では、その全体にパッド１による押圧力がほぼ均等に分散して、土踏まず部２０周辺の筋肉や腱が広範囲において刺激される状態となり、筋肉や腱の一部分に刺激が集中することがないため、長時間使用しても、苦痛がなく適度な足裏マッサージ効果を得ることができる。
【００３７】
また、本実施例のパッド１では、歩行時に荷重のかかる足裏の外足側に位置する側縁部５を平面視において凸曲線形状とし、そのほぼ中央位置に内足側に略Ｖ字状に切り欠いた切欠部６を設けているので、切欠部６ではパッド１の弾性反発力が足裏に作用しない結果、短指屈筋が弛緩する空間を与えることができる。そのため、足裏の土踏まず部２０の浅い人が本パッド１を長時間使用しても、苦痛がなく適度な足裏マッサージ効果を得ることができる。
【００３８】
以上、本発明の実施例について説明したが、本発明は上記した実施例に限定されるものではなく、その趣旨を逸脱しない限りにおいて、種々の変更が可能である。例えば、上記した実施例では、足裏の内足側に位置する側縁部４は、平面視直線形状に形成されているが、図７に示すように、平面視において凸状をなす２つの曲線部４Ａ，４Ｂにより形成し、この２つの曲線部４Ａ，４Ｂを略Ｖ字状に接続することにより、側縁部５と同様に略Ｖ字形状の切欠部６を形成するように構成してもよい。この場合、この側縁部４は、他方の側縁部５と同じ形状であり、パッド１は左右対称の形状（ひょうたん型）となっている。
【００３９】
また、図８に示すように、足裏の外足側に位置する側縁部５を、切欠部６を形成せずに、平面視において前端縁部２と後端縁部３とを繋ぐように直線形状となるように構成してもよい。この場合、図１に示す実施例と比べると、パッド１の外足側の側縁部５は、接する足裏の土踏まず部２０の短指屈筋を全体的に押圧する状態となる。そのため、足裏中央部（短指屈筋）全体に強い刺激感、マッサージ効果を得たいという人にとっては効果的である。
【００４０】
また、上記した実施例では、パッド１の前端縁部２の大きさを後端縁部３よりも大きく形成しているが、図９に示すように、前端縁部２と後端縁部３とを等しい大きさに形成し、パッド１を上下対称の形状としてもよい。
【００４１】
図９に示すパッド１では、土踏まず部２０の前方領域において接する前端縁部２と、土踏まず部２０の後方領域において接する後端縁部３ともに、それぞれ平面視において、その曲率半径Ｒ１，Ｒ２が２０ｍｍの略半円形状に形成されている。また、外足側の側縁部５を構成する２つの曲線部５Ａ，５Ｂはともに、点Ｏ３，Ｏ４を中心として曲率半径ｒ１，ｒ２が１０ｍｍの円弧形状に形成され、２つの曲線部５Ａ，５Ｂを略Ｖ字状に接続することにより、外足側の側縁部５の中央位置に、略Ｖ字形状の切欠部６を形成している。この実施例のパッド１も、図１に示す例と同様に足裏に作用する。
【００４２】
また、図１０に示すように、図９に示す実施例において、外足側の側縁部５を、切欠部６を形成せずに平面視において前端縁部２と後端縁部３とを繋ぐように直線形状として、パッド１を上下対称および左右対称の形状（小判型）とすることもできる。この実施例のパッド１は、図８に示す例と同様に足裏に作用する。
【００４３】
また、上記した実施例では、外足側の側縁部５を、凸状をなす２つの曲線部５Ａ，５Ｂによって構成し、これらの曲線部５Ａ，５Ｂを略Ｖ字状に接続することにより、側縁部５のほぼ中央位置に略Ｖ字形状の切欠部６を形成しているが、切欠部６の態様は必ずしもこれに限られるものではなく、例えば半円形状でも、三角形状でもよく、種々の態様のものが考えられる。
【００４４】
さらに、上記した実施例では、パッド１の前端縁部２および後端縁部３をそれぞれ平面視において凸曲線形状に形成しているが、これに限定されるものではなく、例えば、直線形状など、種々の形状に形成することもできる。
【符号の説明】
【００４５】
１    足裏用パッド
２    前端縁部
３    後端縁部
５    外足側の側縁部
５Ａ，５Ｂ  曲線部
６    切欠部
１０  上面
１１  側面
１２  上端周縁部
１３  固定面
２０  土踏まず部
３０  履き物
【図１】
2010264139.tif 000003
【図２】
2010264139.tif 000004
【図３】
2010264139.tif 000005
【図４】
2010264139.tif 000006
【図５】
2010264139.tif 000007
【図６】
2010264139.tif 000008
【図７】
2010264139.tif 000009
【図８】
2010264139.tif 000010
【図９】
2010264139.tif 000011
【図１０】
2010264139.tif 000012